(57)【要約】【課題】ガスケットを用いたハードディスク装置において、ガスケット材の変形等によるガスの出入りを防止できるとともに、用途に合わせて機能の向上を図ることができるようにし、また製造の際の組立てを容易にする。【解決手段】ハードディスク装置に用いられるカバー一体型ガスケットにおいて、カバーをアルミニウムや樹脂などのカバープレート１とその外側のステンレスなどのリング２とに分離する。そして、カバープレート１には所定位置に設けた貫通孔にゴム等のガスケット材３を通し、このカバープレート１とリング２の間及びカバープレート１と本体ケース４の間を上記ガスケット材３によりシールする。【選択図】　　　図１
2004055063.tif 000002
【特許請求の範囲】
【請求項１】
ハードディスク装置の本体ケースに装着されるカバー一体型のガスケットであって、前記カバーを所定位置の貫通孔にガスケット材を通したカバープレートとそのガスケット材の外側のリングとに分離し、前記カバープレートとリングの間及びカバープレートと本体ケースの間を前記ガスケット材によりシールすることを特徴とするカバー一体型ガスケット。
【請求項２】
本体ケースに装着されるカバーを、所定位置の貫通孔にガスケット材を通したカバープレートとそのガスケット材の外側のリングとに分離し、前記カバープレートとリングの間及びカバープレートと本体ケースの間を前記ガスケット材によりシールするカバー一体型ガスケットを備えたことを特徴とするハードディスク装置。
【発明の詳細な説明】
【０００１】
【発明の属する技術分野】
本発明は、ハードディスク装置の本体ケースに装着されるカバー一体型ガスケット及びそのハードディスク装置に関するものである。
【０００２】
【従来の技術】
ハードディスク装置は、コンピュータ等の電子機器において記憶装置として使用され、本体ケースとカバーの間にディスクやヘッド、コントローラなどを収容した構成となっている。そして、ケース（容器）内の密封性を保持するためにガスケットが用いられている。
【０００３】
図３はこのような一般的なハードディスク装置におけるケースとカバーの概略構成を示す断面図である。カバー１１の所定箇所に形成された貫通孔を通して該カバー１１の内側と外側に弾性体のガスケット材１２が設けられ、カバー一体型ガスケットが構成されている。そして、このカバー一体型ガスケットが本体ケース１３に装着されるようになっている。
【０００４】
【発明が解決しようとする課題】
しかしながら、上記のような従来のガスケットを用いたハードディスク装置においては、図３に示すように、カバーの貫通孔を通して矢印Ａ方向、Ｂ方向にガスの出入り（リーク）が発生し、機器の動作に悪影響を及ぼすという問題点があった。
【０００５】
すなわち、図４に示すように、カバー１１と本体ケース１３による圧縮でガスケット材１２が変形したりして、リークの原因となる。例えば、同図の（ａ）のようにカバー１１の外側に押し出されたガスケット材１２の上部に移動物体１４が矢印Ｃ方向に移動してくるとその部分のガスケット材１２が切断され、隙間が生じる。また、同図の（ｂ）のように横方向に傾いて倒れると変形し、同様に隙間が生じる。
【０００６】
本発明は、上記のような問題点に鑑みてなされたもので、ガスケット材の変形等によるガスの出入りを防止できるとともに、用途に合わせて機能の向上を図ることができ、また製造の際の組立てが容易なカバー一体型ガスケット及びハードディスク装置を提供することを目的としている。
【０００７】
【課題を解決するための手段】
本発明に係るカバー一体型ガスケットは、ハードディスク装置の本体ケースに装着されるカバー一体型のガスケットであって、前記カバーを所定位置の貫通孔にガスケット材を通したカバープレートとそのガスケット材の外側のリングとに分離し、前記カバープレートとリングの間及びカバープレートと本体ケースの間を前記ガスケット材によりシールするようにしたものである。
【０００８】
本発明に係るハードディスク装置は、本体ケースに装着されるカバーを、所定位置の貫通孔にガスケット材を通したカバープレートとそのガスケット材の外側のリングとに分離し、前記カバープレートとリングの間及びカバープレートと本体ケースの間を前記ガスケット材によりシールするカバー一体型ガスケットを備えたものである。
【０００９】
【発明の実施の形態】
以下、本発明の実施例を図面について説明する。
【００１０】
図１は本発明の実施例の構成を示す断面図であり、ハードディスク装置に用いられるカバー一体型ガスケットの構成を示している。
【００１１】
本実施例のカバー一体型ガスケットにおいて、カバーは、アルミニウムや樹脂などのカバープレート１とその外側の鉄やステンレスなどのリング２とに分離されている。そして、カバープレート１には所定位置に設けた貫通孔にゴム等のガスケット材３が通され、このカバープレート１とリング２の間及びカバープレート１と本体ケース４の間は上記ガスケット材３によりシールされるように構成されている。
【００１２】
また、図１に示すように、ガスケット材３は一部カバープレート１の外側に突出しており、その突出部がリング２の内側面と接触するようになっている。このため、図示のようにカバープレート１をリング２内に押し込むだけで、カバープレート１とリング２及びガスケット材３が一体となって一つのガスケット部品を構成する。したがって、製造の際の組立て工程が容易なものとなる。
【００１３】
上記のように構成された本実施例のカバー一体型ガスケットにおいては、カバーが二重構造になっており、ガスケット材３の変形等を防止でき、従ってガスの出入りを防止することができる。また、用途に合わせて機能の向上を図ることも可能であり、更にカバー一体型のガスケットとなっているので、接着剤を使用する必要がなく、製造の際の組立て工程が容易となる。図２に本実施例のカバー一体型ガスケットの種々の形状を示す。
【００１４】
図２の（ａ）に示すものは、厚いカバープレート１ａと薄いリング２ａを組み合わせたものであり、同図の（ｂ）に示すものは、薄いカバープレート１ｂと厚いリング２ｂを組み合わせたものである。また、同図の（ｃ）に示すものは、カバープレート１とリング２の間のガスケット材３の外周囲にのりなどの接着剤を兼ねた制振材５を配置したものである。
【００１５】
このように、用途、目的に合わせてカバー材料を選択することができ、制振性の向上、軽量化、防音、シール性の向上、剛性の付加など、機能の向上を図ることができる。
【００１６】
【発明の効果】
以上説明したように、本発明によれば、ガスケット材の変形等によるガスの出入りを防止できるとともに、用途に合わせて機能の向上を図ることができ、また製造の際の組立て工程が容易になるという効果がある。
【図面の簡単な説明】
【図１】本発明の実施例の構成を示す断面図
【図２】実施例のカバー一体型ガスケットの種々の形状を示す断面図
【図３】従来例のケースとカバーの概略構成を示す断面図
【図４】ガスケット材の変形の様子を示す説明図
【符号の説明】
１　カバープレート
１ａ　カバープレート
１ｂ　カバープレート
２　リング
２ａ　リング
２ｂ　リング
３　ガスケット材
４　ケース
５　制振材
【図１】
2004055063.tif 000003
【図２】
2004055063.tif 000004
【図３】
2004055063.tif 000005
【図４】
2004055063.tif 000006